(57)【特許請求の範囲】
【請求項１】
複数のアンテナを用いて同一または異なる情報を送信する送信手段と、
複数の使用可能な周波数のおのおのに対して干渉波の有無を検出する干渉波検出手段と、
伝搬路の状況を取得する伝播路状況取得手段と、
前記複数のアンテナの各送信周波数を、前記干渉波検出手段によって検出された干渉波が存在しない非干渉周波数に設定し、かつ、前記伝播路状況取得手段によって取得された伝搬路状況に応じて、前記複数のアンテナから送信される情報の個数を制御する制御手段と、を有し、
前記制御手段は、
前記伝播路状況が良好な場合、
前記複数のアンテナの各送信周波数を同一の非干渉周波数に設定し、かつ、前記複数のアンテナから異なる情報を送信させ、
前記伝播路状況が不良な場合、
前記複数のアンテナの各送信周波数を異なる非干渉周波数に設定し、かつ、前記複数のアンテナから異なる情報を送信させるか、
前記複数のアンテナの送信周波数を同一の非干渉周波数に設定し、かつ、前記複数のアンテナから同一情報を送信させるか、または、
前記複数のアンテナの各送信周波数を異なる非干渉周波数に設定し、かつ、前記複数のアンテナから同一情報を送信させ、
前記伝播路状況が不良であるが極めて不良ではない場合、
前記複数のアンテナの各送信周波数を異なる非干渉周波数に設定し、かつ、前記複数のアンテナから異なる情報を送信させ、
前記伝播路状況が極めて不良な場合、
前記複数のアンテナの送信周波数を同一の非干渉周波数に設定し、かつ、前記複数のアンテナから同一情報を送信させるか、または、
前記複数のアンテナの各送信周波数を異なる非干渉周波数に設定し、かつ、前記複数のアンテナから同一情報を送信させる、
ことを特徴とする無線送信装置。
【請求項２】
請求項１に記載の無線送信装置を有することを特徴とする無線基地局装置。
【請求項３】
請求項１に記載の無線送信装置を有することを特徴とする無線端末装置。
【請求項４】
複数のアンテナを用いて同一または異なる情報を送信する送信ステップと、
複数の使用可能な周波数のおのおのに対して干渉波の有無を検出する干渉波検出ステップと、
伝搬路の状況を取得する伝播路状況取得ステップと、
前記複数のアンテナの各送信周波数を、前記干渉波検出ステップで検出した干渉波が存在しない非干渉周波数に設定し、かつ、前記伝播路状況取得ステップで取得した伝搬路状況に応じて、前記複数のアンテナから送信される情報の個数を制御する制御ステップと、を有し、
前記制御ステップにおいて、
前記伝播路状況が良好な場合、
前記複数のアンテナの各送信周波数を同一の非干渉周波数に設定し、かつ、前記複数のアンテナから異なる情報を送信させ、
前記伝播路状況が不良な場合、
前記複数のアンテナの各送信周波数を異なる非干渉周波数に設定し、かつ、前記複数のアンテナから異なる情報を送信させるか、
前記複数のアンテナの送信周波数を同一の非干渉周波数に設定し、かつ、前記複数のアンテナから同一情報を送信させるか、または、
前記複数のアンテナの各送信周波数を異なる非干渉周波数に設定し、かつ、前記複数のアンテナから同一情報を送信させ、
前記伝播路状況が不良であるが極めて不良ではない場合、
前記複数のアンテナの各送信周波数を異なる非干渉周波数に設定し、かつ、前記複数のアンテナから異なる情報を送信させ、
前記伝播路状況が極めて不良な場合、
前記複数のアンテナの送信周波数を同一の非干渉周波数に設定し、かつ、前記複数のアンテナから同一情報を送信させるか、または、
前記複数のアンテナの各送信周波数を異なる非干渉周波数に設定し、かつ、前記複数のアンテナから同一情報を送信させる、
ことを特徴とする無線通信方法。
【発明の詳細な説明】
【０００１】
【発明の属する技術分野】
本発明は、ディジタル無線通信システムにおいて使用される無線送信装置および無線通信方法に関する。
【０００２】
【従来の技術】
現在、世界統一規格を目指して広帯域無線アクセス方式が整備されつつある。さらには、準ミリ波帯に向けて、豊富な周波数資源を活用した次世代の移動広帯域無線アクセス方式の確立が望まれている。
【０００３】
現在の広帯域無線アクセス方式としては、世界統一の下、５ＧＨｚ帯を用い、変調方式が周波数直交多周波型（ＯＦＤＭ：Orthogonal Frequency Division Multiplex）であり、伝搬路状況の良否により、各サブキャリアに対する変調多値化数を適応的に制御するようにしたものがある。この方式によれば、伝搬路状況が良好な状況下では、変調多値数を大きくとることができるため、たとえば、周波数帯域２０ＭＨｚにおいて６４値ＱＡＭを用いて５４Ｍｂｐｓの伝送速度を達成することができる。
【０００４】
近年では、さらに周波数の有効利用を図るために、複数のアンテナを用いて、同一周波数で空間分割多重するＳＤＭ（Space Division Multiplex）方式の適用が検討されている（たとえば、非特許文献１参照）。この種の方式では、変調方式は従来と同様であるが、同一周波数において複数のアンテナから異なる情報を送信して空間で多重するため、たとえば、２本のアンテナを用いる場合、使用する周波数帯域を増加することなく伝送容量は２倍となり、よって伝送速度も２倍となる。
【０００５】
【非特許文献１】
杉山、梅比良著「直交偏波を利用した広帯域ＰＤＭ−ＣＯＦＤＭ方式の提案」、２００１年電子情報通信学会通信ソサイエティ大会、ＳＢ−３−７
【０００６】
【発明が解決しようとする課題】
しかしながら、上記した従来の方式においては、他セルからの干渉や伝搬路の状況によっては、原理上、空間多重された送信信号を受信側で分離再生できない場合があるため、必ずしも通信容量が増加するとは限らず、期待している伝送速度の要求を満足できない事態を招く可能性があるのみならず、場合によっては通信不能の状態に陥る可能性さえある。
【０００７】
本発明は、かかる点に鑑みてなされたものであり、通信品質を維持しつつ、周波数利用効率と伝送速度をさらに向上することができる無線送信装置および無線通信方法を提供することを目的とする。
【０００８】
【課題を解決するための手段】
本発明の無線送信装置は、複数のアンテナを用いて同一または異なる情報を送信する送信手段と、複数の使用可能な周波数のおのおのに対して干渉波の有無を検出する干渉波検出手段と、伝搬路の状況を取得する伝播路状況取得手段と、前記複数のアンテナの各送信周波数を、前記干渉波検出手段によって検出された干渉波が存在しない非干渉周波数に設定し、かつ、前記伝播路状況取得手段によって取得された伝搬路状況に応じて、前記複数のアンテナから送信される情報の個数を制御する制御手段と、を有し、前記制御手段は、前記伝播路状況が良好な場合、前記複数のアンテナの各送信周波数を同一の非干渉周波数に設定し、かつ、前記複数のアンテナから異なる情報を送信させ、前記伝播路状況が不良な場合、前記複数のアンテナの各送信周波数を異なる非干渉周波数に設定し、かつ、前記複数のアンテナから異なる情報を送信させるか、前記複数のアンテナの送信周波数を同一の非干渉周波数に設定し、かつ、前記複数のアンテナから同一情報を送信させるか、または、前記複数のアンテナの各送信周波数を異なる非干渉周波数に設定し、かつ、前記複数のアンテナから同一情報を送信させ、前記伝播路状況が不良であるが極めて不良ではない場合、前記複数のアンテナの各送信周波数を異なる非干渉周波数に設定し、かつ、前記複数のアンテナから異なる情報を送信させ、前記伝播路状況が極めて不良な場合、前記複数のアンテナの送信周波数を同一の非干渉周波数に設定し、かつ、前記複数のアンテナから同一情報を送信させるか、または、前記複数のアンテナの各送信周波数を異なる非干渉周波数に設定し、かつ、前記複数のアンテナから同一情報を送信させる構成を採る。
【０００９】
本発明の無線通信方法は、複数のアンテナを用いて同一または異なる情報を送信する送信ステップと、複数の使用可能な周波数のおのおのに対して干渉波の有無を検出する干渉波検出ステップと、伝搬路の状況を取得する伝播路状況取得ステップと、前記複数のアンテナの各送信周波数を、前記干渉波検出ステップで検出した干渉波が存在しない非干渉周波数に設定し、かつ、前記伝播路状況取得ステップで取得した伝搬路状況に応じて、前記複数のアンテナから送信される情報の個数を制御する制御ステップと、を有し、前記制御ステップにおいて、前記伝播路状況が良好な場合、前記複数のアンテナの各送信周波数を同一の非干渉周波数に設定し、かつ、前記複数のアンテナから異なる情報を送信させ、前記伝播路状況が不良な場合、前記複数のアンテナの各送信周波数を異なる非干渉周波数に設定し、かつ、前記複数のアンテナから異なる情報を送信させるか、前記複数のアンテナの送信周波数を同一の非干渉周波数に設定し、かつ、前記複数のアンテナから同一情報を送信させるか、または、前記複数のアンテナの各送信周波数を異なる非干渉周波数に設定し、かつ、前記複数のアンテナから同一情報を送信させ、前記伝播路状況が不良であるが極めて不良ではない場合、前記複数のアンテナの各送信周波数を異なる非干渉周波数に設定し、かつ、前記複数のアンテナから異なる情報を送信させ、前記伝播路状況が極めて不良な場合、前記複数のアンテナの送信周波数を同一の非干渉周波数に設定し、かつ、前記複数のアンテナから同一情報を送信させるか、または、前記複数のアンテナの各送信周波数を異なる非干渉周波数に設定し、かつ、前記複数のアンテナから同一情報を送信させるようにした。
【００３０】
【発明の実施の形態】
本発明の骨子は、複数のアンテナを用いて同一または異なる情報を送信する場合において、伝搬路の状況に応じて、複数のアンテナの各送信周波数および複数のアンテナから送信される情報の個数を制御すること、たとえば、複数のアンテナから異なる情報を同一周波数で送信したり（空間多重）、複数のアンテナから異なる情報を異なる周波数で送信したり（周波数多重）、複数のアンテナから同一情報を同一周波数で送信したり（空間ダイバーシチ）、複数のアンテナから同一情報を異なる周波数で送信したり（周波数ダイバーシチ）することを伝搬路の状況に応じて適応的に切り替えることである。
【００３１】
以下、本発明の実施の形態について、図面を参照して詳細に説明する。
【００３２】
図１は、本発明の一実施の形態に係る無線送信装置の構成を示すブロック図、図２は、図１に示す無線送信装置と無線通信を行う無線受信装置の構成を示すブロック図である。図１に示す無線送信装置と図２に示す無線受信装置は、同一の無線通信装置に搭載されることができる。
【００３３】
この無線通信装置は、たとえば、ＯＦＤＭ方式の無線通信装置であって、図１に示す無線送信装置１００は、ＯＦＤＭ信号の送信機であり、図２に示す無線受信装置２００は、ＯＦＤＭ信号の受信機である。ＯＦＤＭ方式は、マルチキャリア化とガードインターバルの挿入によって、高速ディジタル信号伝送におけるマルチパス遅延スプレッドの影響を軽減することができるため、次世代の移動広帯域無線アクセス方式として注目されている。ここで、ＯＦＤＭ信号は、複数の直交する搬送波（サブキャリア）の信号を多重化したものである。
【００３４】
本実施の形態では、ＯＦＤＭ方式において、複数のアンテナを用いて同一または異なる情報を送信する場合において、伝搬路の状況に応じて、複数のアンテナの各送信周波数および複数のアンテナから送信される情報の個数を制御することで、通信品質を維持しつつ、周波数利用効率と伝送速度をさらに向上するようにしている。ここでは、アンテナの数が２本の場合を例にとって説明する。
【００３５】
図１に示す無線送信装置（送信機）１００は、送信信号Ａを送信する系統１と、送信信号Ｂを送信する系統２とを有する。系統１は、符号化部１０１、サブキャリア変調部１０２、逆高速フーリエ変換（ＩＦＦＴ）部１０３、スロット組立部１０４、周波数変換部１０５、およびアンテナ１０６から構成され、系統２は、符号化部１１１、サブキャリア変調部１１２、逆高速フーリエ変換（ＩＦＦＴ）部１１３、スロット組立部１１４、周波数変換部１１５、およびアンテナ１１６から構成されている。また、送信機１００は、搬送周波数制御部１２１、送信信号切替部１２２、および全体の制御部１２３を有する。
【００３６】
一方、図２に示す無線受信装置（受信機）２００は、送信機１００からの送信信号Ａを受信して受信信号Ａを取得する系統１と、同送信機１００からの送信信号Ｂを受信して受信信号Ｂを取得する系統２とを有する。ただし、送信信号Ａと送信信号Ｂが同一周波数の場合は、各系統において送信信号Ａと送信信号Ｂの両方が受信される。系統１は、アンテナ２０１、周波数変換部２０２、高速フーリエ変換（ＦＦＴ）部２０３、サブキャリア復調部２０４、および復号化部２０５から構成され、系統２は、アンテナ２１１、周波数変換部２１２、高速フーリエ変換（ＦＦＴ）部２１３、サブキャリア復調部２１４、および復号化部２１５から構成されている。また、受信機２００は、搬送周波数制御部２２１、シンボル同期タイミング部２２２、干渉補償部２２３、干渉検出部２２４、および誤り検出部２２５を有する。
【００３７】
なお、同一の無線通信装置に送信機１００および受信機２００が搭載されている場合、送信機１００用のアンテナ１０６，１１６と受信機２００用のアンテナ２０１，２１１とは、送受信共用タイプのものであってもよい。
【００３８】
次いで、上記構成を有する送信機１００および受信機２００の各動作について説明する。
【００３９】
まず、送信機１００の動作は、次のとおりである。
【００４０】
系統１の送信信号Ａは、符号化部１０１で、たとえば、畳み込み符号化される。符号化された信号は、サブキャリア変調部１０２で、サブキャリアごとに変調された後、ＩＦＦＴ部１０３に出力される。ＩＦＦＴ部１０３では、サブキャリア変調部１０２の出力信号を逆高速フーリエ変換（ＩＦＦＴ）してＯＦＤＭ信号を生成する。生成されたＯＦＤＭ信号は、スロット組立部１０４で、ガードインターバルおよびプリアンブルが挿入された後、周波数変換部１０５に出力される。周波数変換部１０５では、スロット組立部１０４の出力信号を搬送周波数制御部１２１によって独立に制御された無線周波数（送信周波数）にアップコンバートする。アップコンバートされた送信信号は、アンテナ１０６を介して送信される。また、系統２の送信信号Ｂについても、系統１の送信信号Ａの場合と同様の処理が行われ、周波数変換部１１５で、スロット組立部１１４の出力信号を搬送周波数制御部１２１によって独立に制御された無線周波数（送信周波数）にアップコンバートされた後、アンテナ１１６から送信される。このとき、系統１の送信信号Ａと系統２の送信信号Ｂとを同一にするか非同一にするかは、送信信号切替部１２２によって切り替えられる。搬送周波数制御部１２１および送信信号切替部１２２は、いずれも、制御部１２３によって適応的に制御される。制御部１２３による適応制御の内容については、後で詳述する。
【００４１】
次に、受信機２００の動作は、次のとおりである。
【００４２】
系統１のアンテナ２０１を介して受信されたＯＦＤＭ信号は、周波数変換部２０２で、搬送周波数制御部２２１によって独立に制御された無線周波数（送信信号Ａを送信したアンテナ１０６の送信周波数と同一の周波数）を用いてダウンコンバートされた後、図示しないガードインターバル除去部を経て、ＦＦＴ部２０３に出力される。ＦＦＴ部２０３では、シンボル同期タイミング部２２２から出力されるタイミング信号を用いて、ガードインターバル除去後のＯＦＤＭ信号を高速フーリエ変換（ＦＦＴ）する。系統２のアンテナ２１１を介して受信されたＯＦＤＭ信号についても、同様の処理が行われ、周波数変換部２１２で、搬送周波数制御部２２１によって独立に制御された無線周波数（送信信号Ｂを送信したアンテナ１１６の送信周波数と同一の周波数）を用いてダウンコンバートされた後、ガードインターバルが除去され、ＦＦＴ処理が行われる。干渉補償部２２３では、各アンテナ２０１，２１１間の伝達関数を推定することで、空間多重された信号を分離する。分離された信号は、系統１と系統２において、それぞれ、サブキャリア復調部２０４，２１４でサブキャリアごとに復調された後、復号化部２０５，２１５で復号化される。これにより、受信信号Ａと受信信号Ｂが得られる。
【００４３】
このとき、干渉検出部２２４は、系統ごとに、干渉レベルを測定して干渉波の有無を検出することにより、複数の使用可能な周波数の中から他ユーザに割り当てられていない周波数を検出する。また、誤り検出部２２５は、伝搬路の状況を示す指標として、たとえば、誤り率（たとえば、ＢＥＲ（Bit Error Rate）など）を検出する。干渉検出部２２４による干渉検出結果（各系統での干渉波の有無）および誤り検出部２２５による誤り検出結果（各系統での誤り率）は、同一の無線通信装置に搭載された送信機（図示せず）および通信相手の無線通信装置に搭載された受信機（図示せず）を経て、通信相手の送信機１００の制御部１２３に与えられる。
【００４４】
次いで、送信機１００における上記適応制御の内容について、図３から図６を用いて詳細に説明する。なお、ここでは、使用可能な周波数（より厳密には、周波数帯域）として、たとえば、チャネル１（ＣＨ１）からチャネル４（ＣＨ４）までの４つのチャネル（周波数帯域）がある場合を例にとって説明する。また、図３から図６において、アンテナ＃１は、系統１のアンテナ１０６であり、アンテナ＃２は、系統２のアンテナ１１６である。
【００４５】
本実施の形態では、送信機１００は、４つの無線通信方式をとることができる。第１は、空間多重の場合、つまり、２本のアンテナ１０６，１１６から異なる情報（送信信号Ａ≠送信信号Ｂ）を同一周波数で送信する場合であり（たとえば、図３参照）、第２は、周波数多重の場合、つまり、２本のアンテナ１０６，１１６から異なる情報（送信信号Ａ≠送信信号Ｂ）を異なる周波数で送信する場合であり（たとえば、図４参照）、第３は、空間ダイバーシチの場合、つまり、２本のアンテナ１０６，１１６から同一情報（送信信号Ａ＝送信信号Ｂ）を同一周波数で送信する場合であり（たとえば、図５参照）、第４は、周波数ダイバーシチの場合、つまり、２本のアンテナ１０６，１１６から同一情報（送信信号Ａ＝送信信号Ｂ）を異なる周波数で送信する場合である（たとえば、図６参照）。制御部１２３は、通信相手の無線通信装置に搭載された受信機２００からの干渉検出結果（各系統での干渉波の有無）および誤り検出結果（各系統での誤り率）に基づいて、これら４つの無線通信方式を適応的に切り替える。
【００４６】
具体的には、たとえば、誤り検出結果が良好な場合、つまり、伝搬路の状況が良好な場合は、図３に示すように、２本のアンテナ１０６，１１６から異なる情報（送信信号Ａ≠送信信号Ｂ）を同一周波数で送信することで、空間多重を行う。図３に示す例では、干渉波の存在するＣＨ１、ＣＨ２、ＣＨ４、つまり、他ユーザに割り当てられている周波数（チャネル）を避けて、空いている同一チャネル（ＣＨ３）を用いて系統１のアンテナ１０６と系統２のアンテナ１１６からそれぞれ異なる送信信号Ａ，Ｂを多重して送信する。なお、このとき、受信機２００は、送信機１００で使用された周波数（図３の例では、ＣＨ３の周波数）を用いて受信動作を行う。
【００４７】
本方式によれば、伝搬路の状況が良好な場合は、空間多重を行うため、使用する周波数を増加することなく、つまり、使用する周波数帯域を維持したまま、周波数利用効率と伝送速度のさらなる向上を最大限に図ることができる。しかも、複数（ここでは４つ）の使用可能な周波数（ＣＨ１〜ＣＨ４）の中から干渉波の存在しない周波数を検出し、この検出された周波数の中から複数（ここでは２本）のアンテナの各送信周波数を設定するため、他ユーザからの干渉の影響を受けることなく、つまり、通信品質を維持しつつ、周波数利用効率と伝送速度のさらなる向上を図ることができる。
【００４８】
また、たとえば、誤り検出結果が不良な場合、つまり、伝搬路の状況が不良な場合は、図４に示すように、２本のアンテナ１０６，１１６から異なる情報（送信信号Ａ≠送信信号Ｂ）を異なる周波数で送信することで、周波数多重を行う。図４に示す例では、干渉波の存在するＣＨ１、ＣＨ４、つまり、他ユーザに割り当てられている周波数（チャネル）を避けて、空いている２つのチャネルＣＨ２、ＣＨ３のうち、系統１のアンテナ１０６からは、一方のチャネル（ＣＨ２）を用いて送信信号Ａを送信し、系統２のアンテナ１１６からは、系統１と異なるもう一方のチャネル（ＣＨ３）を用いて系統１と異なる送信信号Ｂを送信する。なお、このとき、受信機２００は、送信機１００で使用された各系統の周波数（図４の例では、系統１はＣＨ２の周波数、系統２はＣＨ３の周波数）を用いて受信動作を行う。
【００４９】
本方式によれば、伝搬路の状況が不良な場合は、周波数多重を行うため、各系統の空間多重による通信品質劣化の影響を受けることなく、つまり、通信品質を維持したまま、周波数利用効率と伝送速度のさらなる向上を図ることができる。しかも、複数（ここでは４つ）の使用可能な周波数（ＣＨ１〜ＣＨ４）の中から干渉波の存在しない周波数を検出し、この検出された周波数の中から複数（ここでは２本）のアンテナの各送信周波数を設定するため、他ユーザからの干渉の影響を受けることなく、つまり、通信品質を維持しつつ、周波数利用効率と伝送速度のさらなる向上を図ることができる。
【００５０】
また、たとえば、誤り検出結果が極めて不良な場合、つまり、複数のアンテナから異なる情報を送信することができないほど伝搬路状況が不良な場合は、選択的に、図５に示すように、２本のアンテナ１０６，１１６から同一情報（送信信号Ａ＝送信信号Ｂ）を同一周波数で送信することで、空間ダイバーシチを行い、または、図６に示すように、２本のアンテナ１０６，１１６から同一情報（送信信号Ａ＝送信信号Ｂ）を異なる周波数で送信することで、周波数ダイバーシチを行う。図５に示す例では、干渉波の存在するＣＨ１、ＣＨ２、ＣＨ４、つまり、他ユーザに割り当てられている周波数（チャネル）を避けて、空いている同一チャネル（ＣＨ３）を用いて系統１のアンテナ１０６と系統２のアンテナ１１６から同一の送信信号（送信信号Ａ＝送信信号Ｂ）を空間ダイバーシチ送信する。また、図６に示す例では、干渉波の存在するＣＨ１、ＣＨ４、つまり、他ユーザに割り当てられている周波数（チャネル）を避けて、空いている２つのチャネルＣＨ２、ＣＨ３のうち、系統１のアンテナ１０６からは、一方のチャネル（ＣＨ２）を用いて送信信号を送信し、系統２のアンテナ１１６からは、系統１と異なるもう一方のチャネル（ＣＨ３）を用いて系統１と同一の送信信号（送信信号Ａ＝送信信号Ｂ）を送信する。なお、このとき、受信機２００は、前者の場合、送信機１００で使用された周波数（図５の例では、ＣＨ３の周波数）を用いて受信動作を行い、後者の場合、送信機１００で使用された各系統の周波数（図６の例では、系統１はＣＨ２の周波数、系統２はＣＨ３の周波数）を用いて受信動作を行う。
【００５１】
これらの方式によれば、伝搬路状況が極めて不良な場合、つまり、伝送速度の向上は犠牲にしてでも通信品質の確保を図る必要がある場合は、空間ダイバーシチまたは周波数ダイバーシチを行うため、複数のアンテナから異なる情報を送信することができないほど伝搬路状況が不良な場合であっても、ダイバーシチにより通信品質を維持することができる。
【００５２】
このように、本実施の形態によれば、複数のアンテナ１０６，１１６を用いて同一または異なる情報を送信する場合において、伝搬路の状況に応じて、複数のアンテナ１０６，１１６の各送信周波数および複数のアンテナ１０６，１１６から送信される情報の個数を制御する、たとえば、伝搬路の状況に応じて、空間多重、周波数多重、空間ダイバーシチ、周波数ダイバーシチを適応的に切り替えるため、通信品質を維持しつつ、周波数利用効率と伝送速度をさらに向上することができる。換言すれば、通信品質の維持とさらなる周波数利用効率・伝送速度の向上との両立を図ることができる。
【００５３】
なお、本実施の形態では、送信機１００における適応制御は、空いている周波数が存在してもまずは同一周波数を使用し（後から他ユーザが入りやすくするため）、これでは通信品質が確保できない場合に異なる周波数を使用する（ただし、干渉波が存在しないことを検出する必要はある）という考え方に基づいているが、適応制御の制御思想は、これに限定されるわけではない。
【００５４】
たとえば、伝搬路の状況が良好であろうとなかろうと、干渉波が存在しない場合は、異なる周波数で送信するという考え方を採用することも可能である。具体的には、たとえば、まず、干渉波の有無を検出し、干渉波が存在しない場合は、異なる周波数を使用し、運用中に干渉波を検出した場合は、同一周波数を使用する。そして、その後、干渉波がなくなったことを検出すると、再度、異なる周波数を使用するという使い方が考えられる。この場合、伝搬路の状況にかかわらず、干渉波が存在しない周波数を用いて複数のアンテナの各送信周波数を異なる周波数に設定するため、割り当てられていない、つまり、空いている周波数を自由に使用することができ、他ユーザからの干渉の影響を低減することができる。
【００５５】
また、本実施の形態では、ＯＦＤＭ方式の無線通信装置を例にとって説明したが、本発明は、もちろん、ＯＦＤＭ方式に適用した場合に限定されない。たとえば、本発明は、ＣＤＭＡ（Code Division Multiple Access）方式の無線通信装置にも適用可能である。
【００５６】
また、本発明に係る無線送信装置は、移動通信システムにおける無線通信装置、たとえば、無線基地局装置や無線端末装置に搭載されることができる。
【００５７】
【発明の効果】
以上説明したように、本発明によれば、通信品質を維持しつつ、周波数利用効率と伝送速度をさらに向上することができる。
【図面の簡単な説明】
【図１】本発明の一実施の形態に係る無線送信装置の構成を示すブロック図
【図２】図１に示す無線送信装置と無線通信を行う無線受信装置の構成を示すブロック図
【図３】図１に示す無線送信装置がとりうる無線通信方式のうち空間多重の場合を説明するための図
【図４】図１に示す無線送信装置がとりうる無線通信方式のうち周波数多重の場合を説明するための図
【図５】図１に示す無線送信装置がとりうる無線通信方式のうち空間ダイバーシチの場合を説明するための図
【図６】図１に示す無線送信装置がとりうる無線通信方式のうち周波数ダイバーシチの場合を説明するための図
【符号の説明】
１００  無線送信装置
１０５，１１５，２０２，２１２  周波数変換部
１０６，１１６，２０１，２１１  アンテナ
１２１，２２１  搬送周波数制御部
１２２  送信信号切替部
１２３  制御部
２００  無線受信装置
２２３  干渉補償部
２２４  干渉検出部
２２５  誤り検出部
【図１】
0004245330.tif 000002
【図２】
0004245330.tif 000003
【図３】
0004245330.tif 000004
【図４】
0004245330.tif 000005
【図５】
0004245330.tif 000006
【図６】
0004245330.tif 000007